(57)【特許請求の範囲】
【請求項１】
無線装置であって、
ハウジングに包含された携帯通信装置と、
少なくとも携帯通信装置の機能を管理するための前記ハウジングに包含された制御プロセッサと、
ユーザーが少なくとも前記携帯通信装置と対話することを可能にするために前記制御プロセッサに接続されたユーザー・インターフェースと、
アンテナと前記制御プロセッサとの間の無線周波数信号の変調および復調を提供する送受信回路と、
個人健康モジュールと、
前記電気的個人健康モジュールを前記無線装置の前記携帯通信装置から電気的に分離し、前記電気的個人健康モジュールを少なくとも前記制御プロセッサと前記ユーザー・インターフェースに接続して患者に関連する情報を監視する少なくともひとつの分離回路と、
前記携帯通信装置が前記個人健康モジュールの動作に障害を与えることを禁じる前記個人健康モジュールと前記携帯通信装置の間の遮へいと、
電力を提供するために前記無線装置に包含された電源と、
個人健康モジュール・クロックとシステムクロックを備え、前記個人健康モジュールは前記無線装置の他のコンポーネントから分離されており、前記個人健康モジュールは前記分離回路を介して前記携帯通信装置の前記ユーザー・インターフェースとの間でデータのやり取りをおこない、前記個人健康モジュールは前記分離回路を介して前記携帯通信装置の電源から電力を受け取る無線装置。
【請求項２】
前記個人健康モジュールが前記ハウジングに取り外し可能に接続されている請求項１の無線装置。
【請求項３】
前記個人健康モジュールがさらに専門ユーザー・インターフェースを備えている請求項１の無線装置。
【請求項４】
前記制御プロセッサがバッテリー管理モジュールを備えている請求項１の無線装置。
【請求項５】
前記バッテリー管理モジュールが少なくとも前記電源の充電を監視し、監視された充電が所定しきい値未満であるときに前記制御プロセッサが前記携帯通信装置の少なくともひとつの機能を無効にする請求項４の無線装置。
【請求項６】
前記少なくともひとつの機能が複数の機能を有し、前記複数の機能が少なくともふたつの所定しきい値に基づいて無効にされる請求項５の無線装置。
【請求項７】
前記遮へいが電磁遮へいを含んでいる請求項１の無線装置。
【請求項８】
前記遮へいが熱遮へいを含んでいる請求項１の無線装置。
【請求項９】
前記遮へいが少なくともひとつの遮へいコンポーネントを含んでいる請求項１の無線装置。
【請求項１０】
前記少なくともひとつの遮へいコンポーネントが水分バリアまたは気密シールを含んでいる請求項９の無線装置。
【請求項１１】
前記少なくともひとつの遮へいコンポーネントが、抗菌性、抗微生物性、または、抗菌性および抗微生物性からなるコンポーネントの群から選択されたコンポーネントを含んでいる請求項１０の無線装置。
【請求項１２】
前記個人健康モジュールを前記ハウジングに取り外し可能に接続することが、前記個人健康モジュールに対する前記携帯通信装置の影響を低減するために前記遮へいを位置決めすることを含んでいる請求項２の無線装置。
【請求項１３】
前記システムクロックが、前記個人健康モジュール・クロックをセットするために使用される請求項１の無線装置。
【請求項１４】
前記システムクロックが、前記個人健康モジュール・クロックを較正するために使用される請求項１の無線装置。
【発明の詳細な説明】
【技術分野】
【０００１】
本出願の技術は、携帯通信装置に支援された個人健康モジュールに適用し、特には、携帯通信装置が個人健康モジュールへの優先権および携帯通信装置と個人健康モジュールの間をシールドすることを提供する携帯通信装置に取り外し可能に搭載された個人健康モジュールに適用する。
【背景技術】
【０００２】
ラジオや携帯電話などの携帯通信装置は日常動作の中で有用な装置である。たとえば血糖モニターなどの個人健康電子機器は、個人健康情報をモニターからデータの中央管理機関へ送信する無線周波数通信能力を有している。
【０００３】
医療器具を含み得る個人健康モジュールの機能を、携帯電話などの一般的な無線周波数通信ユニットへ統合することが、一般的な無線周波数通信ユニットを、医療機器のための食品および薬の管理の要求に従う医療機器に変え得るのを除いて、明りょうさのために一般に個人健康モジュールと呼ばれる個人健康電子機器をたとえば従来の携帯電話などの既存の無線周波数通信ユニットに組み込むことが望まれている。さらに、無線送信機または場合によっては携帯通信装置と関連づけられた他の電子機器は統合個人健康モジュールの機能を詰め込み得る。
【０００４】
したがって、従来の携帯通信装置が医療機器とみなされなく、また携帯通信装置が個人健康モジュールの機能に障害を与えたり影響を及ぼしたりしない、個人健康モジュールと統合することができる従来の携帯通信装置を提供することが望まれる。
【発明の概要】
【０００５】
ここに開示される実施形態は、個人健康モジュールを携帯通信装置遠隔局と統合する無線装置を提供することによって上述したニーズに応える。本出願の技術の側面は無線装置を含んでいる。無線装置は、個人健康モジュールを収納／収容するのに適したハウジングに包含された携帯通信装置を有している。携帯通信装置は、少なくとも携帯通信装置の機能を制御する制御プロセッサを備えている。携帯通信装置は、ユーザーが少なくとも携帯通信装置および、以下に説明されたように、潜在的に個人健康モジュールと対話することを可能にするために制御プロセッサに接続されたユーザー・インターフェースを有している。個人健康モジュールは、携帯通信装置と機械的に接続および収容されており、分離回路を介して携帯通信装置と電気的に接続されている。分離回路は、個人健康モジュールを電気的携帯通信装置から分離する。個人健康モジュールへの障害を禁じるために、携帯通信装置と個人健康モジュールとの間に遮へいが設けられている。遮へいは、以下に説明されたように、無線周波数伝送が個人健康モジュールに障害を与えることを禁じる電磁遮へいであってもよい。遮へいは、以下に説明されたように、熱発生の影響が個人健康モジュールに障害を与えることを低減する熱遮へいであってもよい。遮へいは、以下に説明されたように、水分の影響が個人健康モジュールに障害を与えることを低減する水分遮へいであってもよい。遮へいは、以下に説明されたように、環境要因の影響が個人健康モジュールに障害を与えることを低減する気密であってもよい。遮へいは、以下に説明されたように、バイオテクノロジー製品の影響が個人健康モジュールに障害を与えることを低減および／または感染の普及を禁じる抗菌性／微生物性コンポーネントを含んでいてもよい。遮へいは、これらのひとつまたは組合せおよび他のタイプの遮へいであってもよい。
【０００６】
本発明の技術の他の側面は、携帯通信装置と個人健康モジュールを有する無線装置の電力消費を管理する方法を含んでいる。方法は、無線装置の電源の充電を監視することと、電源の充電が第一所定しきい値未満に減少するかどうかを判断することとを含んでいる。充電が第一所定しきい値未満であるならば、電源の充電が第一所定しきい値未満に減少したことを制御プロセッサに知らせ、無線装置のコンポーネントを無効にして電力消費を低減する。
【図面の簡単な説明】
【０００７】
【図１】図１は、典型的な実施形態の無線装置の部分分解斜視図である。
【図２】図２は、典型的な実施形態の無線装置の機能ブロック図である。
【図３】図３は、典型的な実施形態の動作ステップを示しているフローチャート図である。
【図４】図４は、典型的な実施形態の動作ステップを示しているフローチャート図である。
【図５】図５は、典型的な実施形態の動作ステップを示しているフローチャート図である。
【発明を実施するための形態】
【０００８】
本発明の技術について、これから特に図を参照して説明する。この技術は、特に携帯通信装置としての携帯電話に関して説明されるが、説明される技術の分野の当業者は、ここの開示を読むことによって、本願の技術は、たとえば、携帯電話、デスクトップ・コンピュータ、ラップトップ・コンピュータ、ハンドヘルド・コンピューター、コンピューターゲーム、ポータブルディジタル補助物、ＭＰ３プレーヤー、ＤＶＤプレーヤー、または同様物を含む任意の無線（または有線）装置に実施されてもよいことを認めるであろう。そのうえに、以下に論じられる個人健康モジュールは、多重伝統的移動体装置または多重伝統的非移動体装置に組み入れられてもよい。
【０００９】
本出願の技術は特定の典型的な実施形態に関して説明される。「典型的」との単語はここでは、「例や実例や例証として働く」ことを意味するために使用される。「典型的」としてここに説明される実施形態のいずれも、他の実施形態を超えて好ましくまたは有利であると必ずしも解釈されるべきではない。そのうえに、ここに説明される実施形態はすべて、そうでないと述べられないかぎり、典型的であると考えられるべきである。
【００１０】
「ネットワーク」との単語は、適切なネットワーク・データ伝送プロトコルを使用するひとつ以上の通常または所有のネットワークを意味するためにここに使用される。そのようなネットワークの例は、ＰＳＴＮ、ＬＡＮ、ＷＡＮ、ＷｉＦｉ、ＷｉＭａｘ、インターネット、ワールド・ワイド・ウェブ、イーサネット（登録商標）、他の無線ネットワーク、および同様物を含んでいる。
【００１１】
まず図１を参照すると、本出願の技術を使用して構築された無線装置１００が示されている。この典型的な無線装置１００では、無線装置１００は、携帯通信装置１０２と個人健康モジュール１０４とを有している。無線装置１００は、便宜上、部分的に分解して示されている。携帯通信装置１０２は、少なくともひとつの無線周波数アンテナ１０６を有するが、多重アンテナを有していてもよい。たびたび、携帯通信装置１０２は、多重アンテナ、または必要な周波数に動作する単一アンテナのいずれかを必要とし得る多重動作周波数で無線周波数信号を送受信する。携帯通信装置１０２は、たとえば、無線コンピュータ、（リサーチ・モーション株式会社（Research in Motion, Ltd）のＢＬＡＣＫＢＥＲＲＹ（登録商標）などの）ポータブルディジタル補助物、携帯電話、または同様物などの任意の数の装置から成ってもよい。携帯通信装置として示され説明されるが、この分野の当業者であれば、本願を読むことによって、無線装置１００は、従来のモデム、ＩＳＰまたは同様物を介する有線接続を介してネットワークに接続される従来のコンピューティング装置を含む有線（または伝統的非携帯）装置であってもよいことを認めるであろう。たとえば、携帯通信装置の代わりに、無線装置１００は、デスクトップ・コンピュータと個人健康モジュール１０４とを備えていてもよい。
【００１２】
上述の無線装置１００は、ひとつまたは複数の個人健康モジュール（ＰＨＭ）１０４を有していてもよいが、便宜上、ただひとつのＰＨＭ１０４が示されている。任意に、携帯通信装置１０２は、無線装置１００が携帯通信装置１０２とＰＨＭ１０４の両方を収容するようにＰＨＭ１０４を収容する凹部１０１を有している。ＰＨＭ１０４は、非制限的な例を介して、脈拍メーター、血糖メーター、酸素メーター、心拍（cardio）モニター、その他を含んでいてもよい。ＰＨＭ１０４は、無線装置１００内に統合されても、プラグ・インモジュールまたは同様物として無線装置１００に取り外し可能に接続されてもよい。図１に示されるＰＨＭ１０４は無線装置１００に取り外し可能に、たとえば複数の接続１０８によって接続され、それらはスナップ・フィット接続１０８として示されている。図示されるように、スナップ・フィット接続１０８は、リップ１１４を形成するフレア端部１１２を備えたＰＨＭ１０４から延出している突部１１０を有している。突部１１０とフレア端部１１２は、肩１１８を有している無線装置１００の対応するソケット１１６に嵌合する。突部１１０は、フレア端部１１２が肩１１８を通過し、リップ１１４と肩１１８が隣接して機械的に連結する、すなわちＰＨＭ１０４を携帯通信装置１０２にスナップ・フィットするのを可能とするように可撓性であるべきである。電気的接続は、スナップ・フィッティングの導電性トレース１２０、または導電性トレース１２０を備えたスロット１２４内に嵌合している対応導電性トレース１２０を備えた分離タブ１２２により得る。携帯通信装置１０２へのＰＨＭ１０４の電気的および機械的連結は、電気的接続および機械的接続が複数のＰＨＭ１０４を複数の携帯通信装置１０２に接続することを容易にするように整列されるべきである。したがって、たとえば、携帯通信装置１０２は、第一血糖メーターＰＨＭ１０４と第二心拍メーターＰＨＭ１０４に（電気的および機械的に）連結し得る。さらに、たとえば、第一血糖メーターＰＨＭ１０４は、携帯電話携帯通信装置１０２またはパーソナルコンピュータ携帯通信装置１０２に（電気的および機械的に）連結し得る。
【００１３】
無線装置１００は、携帯用のコンパクト装置として説明されるが、この分野の当業者であれば、無線装置１００はまた、上記システム用に設計された特別のプロセッサ、デスクトップ・コンピュータ、ラップトップ・コンピュータ、ハンドヘルド・コンピューターのほか、上述したものとは異なる他のプロセッサであってもよいことを認めるであろう。さらに、無線装置１００は無線装置である必要はないが、本出願の技術は無線移動体装置により多く適用可能であるだろうと想像される。
【００１４】
さて図２を参照すると、携帯通信装置１０２とＰＨＭ１０４の機能ブロック図が典型的な実施形態においてより詳細に示されている。携帯通信装置１０２は、制御プロセッサ２０２を含むいくつかのコンポーネントを有している。制御プロセッサ２０２は、機能を計算して携帯通信装置１０２の動作に必要な入力および／またはデータを処理することを提供することを含む携帯通信装置１０２の主機能を制御する。送信／受信回路２０４は、制御プロセッサ２０２とアンテナ１０６に接続されている。送信／受信回路２０４は、ひとつまたは複数の実回路であってよく、さまざまなプロトコルと波長に動作し得る。送信／受信回路２０４は、アンテナ１０６から送信される制御プロセッサ２０２から受信された信号を変調し、アンテナ１０６で受信された信号を復調するなど、無線通信で使用される典型的なそのようなコンポーネントとして機能する。復調信号は制御プロセッサ２０２に提供される。
【００１５】
携帯通信装置１０２はユーザー・インターフェース２０６を有している。ユーザー・インターフェース２０６は、たとえば、キーボードや、英数字パッド、マウス、トラックボール、タッチスクリーン、音声認識、マイクロフォン、スピーカー、データポート、入力ポート、同様物などの携帯電話や無線装置に典型的なユーザー・インターフェースで構成され得る。任意に、この典型的な実施形態としては、ユーザー・インターフェース２０６はＰＨＭ１０４に典型的な機能を有し得る。特許弁護士協議事項表番号ＩＤＦ０６０９４８によって識別される、＿＿＿＿＿に提出されたプライバシー・スクリーンを備えた無線装置と題する米国特許出願シリアル番号＿＿／＿＿＿，＿＿＿を参照せよ。あるいは、以下に述べられるように、ＰＨＭ１０４は、個別のユーザー・インターフェースを有していてもよい。
【００１６】
携帯通信装置１０２は、制御プロセッサ２０２に接続されたメモリ２０８を有している。メモリ２０８は、携帯通信装置１０２の動作に必要または便利なデータおよび処理命令を記憶し得る。メモリ２０８は、任意の適切な媒体上の揮発性および／または不揮発性メモリを含み得る。さらに、メモリ２０８は、たとえばパスワードや生物測定データなどの確認コードの入力だけにアクセス可能な保護部２０８ｐを有していてもよい。さらに保護部２０８ｐは暗号化されていてもよい。メモリ２０８は、ＰＨＭ１０４によっても記録されたデータに関する情報を記憶していてもよい。ＰＨＭ１０４に関するメモリ２０８に格納されたデータについては、あたかもメモリ２０８が、データの主記憶装置や、主記憶装置に保存されたデータをチェックするために使用される（特に示されていない）ＰＨＭ１０４に格納されたメモリ用のデータのバックアップ記憶装置、同様物であるかのように、データはメモリ２０８に保存されてもよい。
【００１７】
携帯通信装置１０２は電源２１０を有している。電源２１０は、任意の従来の電源であってよく、典型的にはバッテリーパックである。電源２１０は、たとえば壁ソケットや、自動車ライター、同様物に接続可能な再充電ポート２１８に接続される。携帯通信装置１０２はまた、制御プロセッサ２０２に接続されたデータポート２１２（データポート２１２はしばしば、文脈に応じて入力ポート２１２または出力ポート２１２とも呼ばれ得る）を有していてもよい。図２に示されていないが、携帯通信装置１０２は、動作のためのそのような装置に通常の、たとえばケーブルや、インターフェース、回路ボード、同様物などの追加のコンポーネントおよび接続を有している。
【００１８】
携帯通信装置１０２は分離回路２１４を有している。分離回路２１４は、以下でさらに説明されるが、携帯通信装置１０２とＰＨＭ１０４の間に電気的分離を提供して携帯通信装置１０２の失敗や動作が電気的ＰＨＭ１０４に障害を与えることを禁じるものである。あるいは、分離回路２１４はＰＨＭ１０４に包含されていてもよい。
【００１９】
上に説明されるように、無線装置１００は、ＰＨＭ１０４と携帯通信装置１０２を接続可能か統合された配列で組み合わせる。ＰＨＭ１０４は、携帯通信装置１０２の（メモリなどの）コンポーネントを使用してもよいし、個別のコンポーネントを有していてもよい。たとえば、ＰＨＭ１０４は、ＰＨＭ１０４の動作に必要な入力および／またはデータを処理する機能を計算することを提供することを含むＰＨＭ１０４の主機能を制御するＰＨＭ制御プロセッサ２２０を有していてもよい。たとえば、ＰＨＭ１０４が血糖モニターであれば、ＰＨＭ１０４は標本投入部２２２を有し、ＰＨＭ１０４が血液サンプルを受け入れるように生物学または試験ストリップ投入部である。ＰＨＭ制御プロセッサ２２０は、標本に基づいて血糖を識別する制御を提供するであろう。他のＰＨＭ１０４は、必要な専門ユーザー・インターフェース２２４が設けられていてもよい。しかしながら、ＰＨＭ１０４は、分離回路２１４を超えて、ディスプレイを含む携帯通信装置ユーザー・インターフェース２０６へデータを提供および受信し得る。たとえば、もしＰＨＭ１０４が単に従来の携帯電話使用者インターフェースと互換性のあるユーザー・インターフェースを必要とするならば、これは特に真実である。
【００２０】
ＰＨＭ１０４は、（特に示されていない）個別の電源を包含していてもよいが、ＰＨＭ１０４は、電源２１０から電力を受け取ることができる。電力は分離回路２１４を超えて供給され得る。電気的分離回路２１４は有用であるが、無線装置１００は遮へい２１６を有しており、それは携帯通信装置１０２またはＰＨＭ１０４に存在し得る。遮へいは、たとえば、アンテナ１０６から無線周波数伝送や他のＲＦ送信成分がＰＨＭ１０４や付随ＰＨＭ制御プロセッサ２２０に障害を与えることを禁じる電磁遮へいであってよい。電磁遮へいのタイプは、この分野では一般によく知られており、ここではさらに説明しない。分離回路２１４を設けることおよび遮へい２１６のために遮へいすることは、携帯通信装置１０２とＰＨＭ１０４を分離する。したがって、あるＰＨＭ１０４は、米国食品医薬品庁からの医療機器に関する規則に従ってもよいが、携帯通信装置１０２は、電気的、機械的、遮へい分離のために規則に従わなくてもよいと想像される。
【００２１】
さらに、遮へい２１６は、ＰＨＭ１０４に内部温度を調整するファイバーグラス分離や、相変化材料分離、同様物などの、この分野で一般に知られるような熱遮へいを含んでいてもよい。ＰＨＭ１０４が抑制温度（追加温度使用上注意は以下で述べる）での動作を必要とする場合には、熱遮へいは必要である。携帯通信装置が、ＰＨＭ１０４動作に障害を与えるに十分な熱を発する電子コンポーネントを有しているとき、熱遮へいは特に有用である。遮へい２１６はまた、水分バリアを提供して水分がＰＨＭ１０４に障害を与えることを禁じるガスケットやＯリングなどの遮へいコンポーネント２１６ｓを含んでいてもよい。遮へいコンポーネントは、ＰＨＭ１０４に対する環境障害を低減する気密遮へいコンポーネントを含んでいてもよい。遮へいコンポーネントは付加的に抗菌性または抗微生物性コンポーネント２１６ｃを含んでいてもよく、それはまた感染の普及を低減し得る。
【００２２】
たびたび、ＰＨＭ１０４の動作はユーザーの健康に不可欠であるが、遠隔局部１０２の動作はしばしば利便性のものである。したがって、電源２１０が、ＰＨＭ１０４と携帯通信装置１０２の両方に電力を供給するならば、少なくとも所定時間のあいだ、ＰＨＭ１０４の動作用の十分な電力残存を確保することに注意しなければならない。ＰＨＭ１０４用の十分な電力を確保するために、制御プロセス２０２はバッテリー管理モジュール２２４を有していてもよい。バッテリー管理モジュール２２４は、電源２１０の充電を監視し、充電が落ちたときに携帯通信装置１０２の機能をシャット・ダウンする。たとえば、動作環境が、たとえば５０％のフル充電などの所定充電にあるならば、ＰＨＭ１０４が所定時間のあいだ十分な電力を得るのを確保するためにＰＨＭ１０４だけに電力が供給される。したがって、制御プロセッサ２０２は、携帯通信装置１０２の残りの機能のすべてをシャット・ダウンする。しかしながら、たとえばフル充電の６０％など、より高い充電では、携帯通信装置１０２のある機能だけがシャット・ダウンされてもよい。たとえば、６０％の充電で、インターネット機能が無効にされてもよく、または全地球測位システムがシャット・ダウンされてもよいが、移動体通信は維持される。
【００２３】
いま図３を参照すると、バッテリー・モジュール２２４の典型的な動作を示すフローチャート３００が示されている。最初に、バッテリー管理モジュール２２４は電源２１０の充電を監視する、ステップ３０２。無線装置１００の動作中、バッテリー管理２２４は、電源２１０の監視された充電が所定しきい値を超えているかどうかを判断する、ステップ３０４。充電が所定しきい値を超えているならば、制御はステップ３０２に戻り、ステップ３０２と３０４が繰り返される。充電が所定しきい値未満であるならば、バッテリー管理モジュール２２４は、充電がしきい値未満であることを示す信号を制御プロセッサ２０２へ送る、ステップ３０６。制御プロセッサ２０２は、携帯通信装置１０２の機能を無効にするか切る、ステップ３０８。
【００２４】
制御プロセッサ２０２は、単一の比較に基づいて携帯通信装置１０２の機能をすべて無効にし得る。一方（想像線で示されるように）、ステップ３０４のバッテリー管理モジュールは、充電が第一所定しきい値を超えているかどうかを判断してもよい、ステップ３０４。充電がたとえば７５％フル充電などの第一所定しきい値未満であるならば、バッテリー管理モジュールは、充電が第一しきい値未満であると制御プロセッサ２０２に知らせる、ステップ３０６。制御プロセッサ２０２は、第一しきい値に関連づけられた第一系列の機能を相応して無効にするか切る、ステップ３０８。たとえば、制御プロセッサ２０２は、たとえばインターネット接続性などの遠隔局部１０２の非本質的機能を無効にしてもよいが、たとえば移動体通信などの携帯通信装置１０２の他の機能は維持してもよい。
【００２５】
バッテリー管理モジュールは、非本質的機能の無効にすることに続いて充電を監視し続ける、ステップ３１０。バッテリー管理モジュールは、たとえば３０％フル充電などの第二所定しきい値未満に充電が落ちたかどうかを判断する、ステップ３１２。充電が３０％フル充電未満でないと判断されるならば、制御はステップ３１０に戻り、ステップ３１０と３１２が繰り返される。充電が３０％フル充電未満であると判断されるならば、バッテリー管理モジュールは、充電が第二所定しきい値未満であることを制御プロセッサに知らせる、ステップ３１４。制御プロセッサは、第二所定しきい値と関連づけられた次の系列の機能を終了させる、ステップ３１６。たとえば、制御プロセッサは、先の無効にしたものよりも必須であるが、それほど必須な機能でない携帯通信装置１０２ためのさらなる系列の非本質的機能を無効にしてもよい。一方、次の系列の機能は残存必須機能であってよい。この分野の当業者であれば開示を読むことによって認められるように、しきい値の数と、電力が特定のしきい値未満に落ちたときに無効にされる関連機能は、設計選択および動作状態の事項である。
【００２６】
上述したように、ＰＨＭ１０４は、保存されている必要のある特別の動作特性を有している。装置にＲＦ遮へいが装備されているにもかかわらず、ＰＨＭ１０４の動作は、電子機器の動作によって、無線周波数障害がＰＨＭ１０４の機能不全を引き起こすような障害を受けるかもしれない。さらに、電子機器は一般に熱シグネチャを有している。多くのＰＨＭは、精度のためにある温度範囲内でおこなわれる生物学的および／または生理学的読み取りを必要とする。したがって、センサー２５０が装置１００に設けられてもよい。センサー２５０は、ＰＨＭ１０４の読み取りに障害を与え得るＲＦや温度、水分、生物、同様物を感知し得る。センサー２５０がＰＨＭ１０４の動作に関連するとき、センサー２５０はＰＨＭ１０４に包含されると想像されるが、どこに設けられてもよい。いま図４を参照すると、センサー２５０を使用する典型的な方法論が提供される。センサー２５０は、ここに説明されるように、無線装置の状態がＰＨＭ１０４の動作範囲内に残るように無線装置の動作状態を制御するために使用されてもよい。最初に、任意に、ＰＨＭ１０４が医療使用のために始動される、ステップ４０２。それは連続的に可能なＰＨＭ１０４は、生物学的および／または生理学的状態を連続的に監視およびまたは連続的に読み取ることが可能であり、ステップ４０２は常に潜在的に満たされる。次に、制御プロセッサは、制御プロセッサ２２０または２０２であってよく、医療使用の動作に障害を与え得る状態に関する信号をセンサー２５０から受け取る、ステップ４０４。場合によっては、感知状態が長い充電時刻を有し得るとき、センサー２５０は、ＰＨＭ１０４が医療使用ために始動されているかどうかに関係なく、たとえば温度などの信号を絶えず送ってもよい。センサー２５０は、たとえば、ＲＦ強度、温度、水分、その他を感知し得る。センサー２５０に基づいて、制御プロセッサ２２０または２０２は、医療読み取りがＲＦ強度や温度、水分、同様物によって影響を受けるかどうかを判断する、ステップ４０６。言いかえれば、ステップ４０６において、制御プロセッサは、感知状態が付随個人健康モジュールの動作範囲の外にあるかどうかを判断する。感知状態が医療読み取りに影響を及ぼし得ることをセンサー比較が示すならば、適切な処置を講じて影響を除去する、ステップ４０８。典型的には、そのような行為は、無線装置のコンポーネントを無効にすること（携帯通信装置１０２の一部またはＰＨＭ１０４の一部のいずれかを無効にすること）を含んでいる。たとえば、無線周波数伝達回路の電源を切って無線周波数信号を低減することおよび医療読み取りが完了した後にそのような回路の電源を入れること。別の例は、電子機器の電源を切って装置の熱シグネチャを低減して装置温度を要求温度範囲内に維持することを含み得る。また他の動作が、個人健康モジュールおよび同様物の動作の詳細に依存する。いくつかの実例では、適切な行為は、たとえば「環境状態は、ＰＨＭ１０４に影響を及ぼし得る高い水分読み取りを引き起こしており、できれば低い水分環境に移してください。」と表示するなど、警告をユーザーに表示してもよい。たとえば温度などのあるセンサー情報ため、装置は、限界温度に達するにつれて、ますます多くの電子機器を切るために多数のしきい値を有していてもよい。同様に、温度（または他のセンサー情報）が限界温度から離れるにつれて、電子機器または同様物が再始動されてもよい。電子機器を切ったり入れたりするためのしきい値は同じか、電子機器がしきい値に比較的近くで切られるが、しきい値（または反対側）から離れるまで入れられないヒステリー・タイプ・オン／オフ・ループであってもよい。場合によっては、ＲＦシグネチャなど、電子機器が切られ、読み取りがなされ、再び入れられ得る。場合によっては、温度など、過度の温度のために読み取りがおこなわれ得ない状態を避けるために、電子機器は、実際の医療使用に先立ってよく切られる必要があってもよい。
【００２７】
場合によっては、無線装置１００のユーザーは、たとえば移動体通信やインターネット・アクセス、ゲーム、音楽再生、同様物などのその所期機能のために携帯通信装置１０２を使用していてもよい。携帯通信装置１０２を使用しているあいだ、ＰＨＭ１０４はたとえば、心拍数の不明な上昇を検出し得る、血圧読み取り窓が進行中または保留中を判断し得るなど、重要な健康または医学の情報を受信または判断してもよい。したがって、制御プロセッサ２０２または２２０は、依存して、中断信号を供給しユーザーに医療必要を警告してもよい。図５は、医療必要または情報に基づいて中断する方法の例証となる典型的なフローチャート５００を示している。最初に、ステップ５０２において、携帯通信装置が使用されている。次に、医療必要が存在するか、保留中か、進行中かどうかが判断される、ステップ５０４。医療必要が存在するか、保留中か、進行中かであると判断されたならば、携帯通信装置の使用が中断される、ステップ５０６。任意に、ユーザーは医療必要を警告され得る、ステップ５０８。中断は、プロバイダーや、調整された規定外の時間、ユーザー提供、同様物によってプリセットされてもよい。
【００２８】
図２を再び参照すると、ＰＨＭ１０４はＰＨＭクロック２６０を包含していてもよい。ＰＨＭクロック２６０は任意の従来のクロックとして作動し、ここではさらには説明しない。ＰＨＭ１０４は、たとえば、ひとつ以上の医療読み取りまたは同様物に必要とされることを含むかなり多くの理由のためにＰＨＭクロック２６０を必要としてもよい。携帯通信装置１０２はしばしばシステムクロック２６２を有している。システムクロック２６２は、キャリアからの信号によって更新され維持され得る。たとえば、ＣＤＭＡプロトコルの下で動作する移動通信ネットワークは、たとえば、システムクロック２６２が（図中に示されていない）正確なクロックによって更新されるように通信ネットワークを通してたとえばアンテナ１０６にクロック情報を送る基地局において正確なクロックを維持する。したがって、より正確なＰＨＭクロック２６０を提供するために、システムクロック２６２（より重要なことには正確なネットワーク・クロック）が従来の手法でＰＨＭクロック２６０を設定、校正または維持するために使用されるようにシステムクロック２６２は分離回路２１４を介してＰＨＭクロック２６０に連結され得る。クロック２６０および２６２は、図示されるように制御プロセッサを介して連結されても、直接接続されても、またはそのようなものであってもよい。
【００２９】
上述したように、ＰＨＭは、ここではＰＨＭメモリと呼ばれるスタンド・アローン・メモリを有していてもよい。慣習的に、携帯通信装置はまた、前述のメモリ２０８などのメモリを備えており、それは保護メモリを２０８ｐ含んでいてもよい。
【００３０】
当業者であれば、情報と信号は、さまざまな異なる技術および技巧のいずれかを使用して表わされ得ることを理解するであろう。たとえば、上記の説明の全体にわたって言及されるデータや命令、コマンド、情報、信号、ビット、記号、チップは、電圧、電流、電磁波、磁場または磁気粒子、光学場または光学粒子、またはそれの任意の組合せによって表わされ得る。
【００３１】
当業者であれば、ここに開示された実施形態に関連して説明されたさまざまな例証的論理ブロックやモジュール、回路、アルゴリズム・ステップは、電子ハードウェア、コンピューター・ソフトウェアまたは両者の組合せとして実施され得ることをさらに認めるであろう。ハードウェアとソフトウェアのこの互換性を明白に示すために、さまざまな例証的コンポーネントやブロック、モジュール、回路、ステップが、それらの機能の見地から一般に上に説明された。そのような機能がハードウェアまたはソフトウェアとして実施されるかどうかは、全システムに課される特定用途および設計制約に依存する。熟練した職人は、説明された機能を各特定用途のためのさまざまな手法で実施し得るが、そのような実施決定は、本発明の要旨からの逸脱を引き起こすと解釈すべきでない。
【００３２】
ここに開示された実施形態に関連して説明されたさまざまな例証的論理ブロック、モジュールや回路は、汎用プロセッサ、ディジタル・シグナル・プロセッサ（ＤＳＰ）、特定用途向け集積回路（ＡＳＩＣ）、フィールド・プログラマブル・ゲート・アレー（ＦＰＧＡ）または他のプログラマブル論理デバイス、離散的ゲートまたはトランジスター論理、離散的ハードウェア・コンポーネントまたはそれのここに説明された機能を実行するように設計されたそれらの任意の組合せで実施または実行されてもよい。汎用プロセッサは、マイクロプロセッサであってよいが、代替案では、プロセッサは、任意の従来のプロセッサ、コントローラ、マイクロコントローラーまたは状態マシンであってもよい。プロセッサはまた、コンピューティング装置の組合せ、たとえばＤＳＰとマイクロプロセッサの組合せ、複数のマイクロプロセッサ、ＤＳＰコアと協力するひとつ以上のマイクロプロセッサまたは他のそのような形態として実施されてもよい。
【００３３】
ここに開示された実施形態に関連して説明された方法またはアルゴリズムのステップは、ハードウェアで、プロセッサによって実行されるソフトウェア・モジュールで、またはふたつの組合せで直接実施されてもよい。ソフトウェア・モジュールは、ランダム・アクセス・メモリ（ＲＡＭ）、フラッシュ・メモリー、リード・オンリー・メモリ（ＲＯＭ）、電気的プログラマブルＲＯＭ（ＥＰＲＯＭ）、電気的消去可能プログラマブルＲＯＭ（ＥＥＰＲＯＭ）、レジスター、ハード・ディスク、リムーバブル・ディスク、ＣＤ−ＲＯＭ、またはこの分野で知られている記憶媒体の他の形態の中に存在し得る。プロセッサが記憶媒体から情報を読む取り、また記憶媒体に情報を書き込むことができるように典型的な記憶媒体はプロセッサに連結される。代替案では、記憶媒体はプロセッサに統合されてもよい。プロセッサと記憶媒体はＡＳＩＣの中に存在してもよい。
【００３４】
開示された実施形態の前の説明は、この分野の当業者ならばだれでも本発明を製造または使用することを可能にするために提供される。これらの実施形態へのさまざまな変更はこの分野の当業者に容易に明白であろう。また、ここに規定された一般的な原理は、発明の趣旨または要旨から逸脱せずに、他の実施形態に適用されてもよい。したがって、本発明は、ここに示された実施形態に限定されないように意図されているが、ここに開示された原理と新規な特徴と整合する最も広い要旨を与えられるべきである。
以下に、本願出願の当初の特許請求の範囲に記載された発明を付記する。
［１］無線装置であって、
ハウジングに包含された携帯通信装置と、
少なくとも携帯通信装置の機能を管理するための前記ハウジングに包含された制御プロセッサと、
ユーザーが少なくとも前記携帯通信装置と対話することを可能にするために前記制御プロセッサに接続されたユーザー・インターフェースと、
アンテナと前記制御プロセッサとの間の無線周波数信号の変調および復調を提供する送受信回路と、
個人健康モジュールと、
前記電気的個人健康モジュールを前記無線装置の前記携帯通信装置から電気的に分離し、前記電気的個人健康モジュールを少なくとも前記制御プロセッサと前記ユーザー・インターフェースに接続して患者に関連する情報を監視する少なくともひとつの分離回路と、
前記携帯通信装置が前記個人健康装置の動作に障害を与えることを禁じる前記個人健康モジュールと前記携帯通信装置の間の遮へいと、
電力を提供するために前記無線装置に包含された電源とを備え、前記個人健康装置は前記無線装置の他のコンポーネントから分離されている無線装置。
［２］前記個人健康モジュールが前記ハウジングに取り外し可能に接続されている［１］の無線装置。
［３］前記個人健康モジュールがさらに専門ユーザー・インターフェースを備えている［１］の無線装置。
［４］前記制御プロセッサがバッテリー管理モジュールを備えている［１］の無線装置。
［５］前記バッテリー管理モジュールが少なくとも前記電源の充電を監視し、監視された充電が所定しきい値未満であるときに前記制御プロセッサが前記携帯通信装置の少なくともひとつの機能を無効にする［４］の無線装置。
［６］前記少なくともひとつの機能が複数の機能を有し、前記複数の機能が少なくともふたつの所定しきい値に基づいて無効にされる［５］の無線装置。
［７］前記遮へいが電磁遮へいを含んでいる［１］の無線装置。
［８］前記遮へいが熱遮へいを含んでいる［１］の無線装置。
［９］前記遮へいが少なくともひとつの遮へいコンポーネントを含んでいる［１］の無線装置。
［１０］前記少なくともひとつの遮へいコンポーネントが水分バリアまたは気密シールを含んでいる［９］の無線装置。
［１１］前記少なくともひとつの遮へいコンポーネントが、抗菌性、抗微生物性、または、抗菌性および抗微生物性からなるコンポーネントの群から選択されたコンポーネントを含んでいる［１０］の無線装置。
［１２］前記個人健康モジュールを前記ハウジングに取り外し可能に接続することが、前記個人健康モジュールに対する前記携帯通信装置の影響を低減するために前記遮へいを位置決めすることを含んでいる［２］の方法。
［１３］無線装置であって、
携帯通信装置を収容するための手段を備え、前記携帯通信装置は少なくとも、メモリと制御プロセッサとユーザー・インターフェースと電源と送信／受信回路とを備えており、
個人健康モジュールを前記収容するための手段に機械的に接続するための手段を備え、前記個人健康モジュールは少なくとも個人健康モジュール制御プロセッサを備えており、
前記個人健康モジュールを前記携帯通信装置から電気的に分離するための手段と、
前記個人健康モジュールを遮へいするための手段とを備えている無線装置。
［１４］前記個人健康モジュールは、前記携帯通信装置の前記メモリと前記制御プロセッサと前記ユーザー・インターフェースと前記電源と前記送信／受信回路とを使用するとともにそれらに、前記電気的個人健康モジュールを前記携帯通信装置から分離するための前記手段を介して電気的に接続される［１３］の無線装置。
［１５］携帯通信装置と個人健康モジュールとを有する無線装置の電力消費を管理する方法であって、
前記無線装置の電源の充電を監視することと、
電源の充電が第一所定しきい値未満に減少するかどうかを判断することと、
電源の充電が第一所定しきい値未満に減少したことを制御プロセッサに知らせることと、
電力消費を低減するために前記無線装置のコンポーネントを無効にすることと含む方法。
［１６］携帯通信装置と個人健康モジュールとを有する無線装置の電力消費を管理するための方法を収録しているコンピュータ・リーダブル記憶媒体であって、前記方法が、
前記無線装置の電源の充電を監視することと、
前記電源の充電が第一所定しきい値未満に減少するかどうかを判断することと、
前記電源の充電が第一所定しきい値未満に減少したことを前記制御プロセッサに知らせることと、
電力消費を低減するために前記無線装置のコンポーネントを無効にすることとを含んでいる記憶媒体。
［１７］前記個人健康モジュールの動作に影響を及ぼす前記無線装置の状態を感知するセンサーをさらに備えている［１］の無線装置。
［１８］前記制御プロセッサは前記センサーを監視し、感知した状態が所定しきい値を超えているときに前記無線装置の少なくとも一部を無効にする［１７］の無線装置。
［１９］前記センサーが温度を感知し、感知温度が第一所定しきい値の外にあると前記制御プロセッサが判断したときに、熱シグネチャを低減するために前記制御プロセッサが電子機器を切る［１８］の無線装置。
［２０］無線装置の状態が付随個人健康モジュールの動作範囲内にとどまるように前記無線装置の前記状態を制御するための方法であって、
前記付随個人健康モジュールの動作に影響を及ぼす動作状態に関する信号を受信することと、
前記動作状態が動作範囲の外にあるかどうかを判断することと、
前記動作状態が前記動作範囲内になるまで前記無線装置のコンポーネントを無効にすることと含む方法。
［２１］前記動作状態が、無線周波数シグネチャ、温度または水分からなる動作状態の群から選択される［２０］の制御するための方法。
［２２］前記動作状態が前記個人健康モジュールを使用することを含み、前記無線装置のコンポーネントを無効にすることが、前記携帯通信装置の使用を中断することを含む［２０］の制御するための方法。
［２３］個人健康モジュール・クロックとシステムクロックとをさらに備えている［１］の無線装置。
［２４］前記システムクロックが、前記個人健康モジュール・クロックをセットするために使用される［２３］の無線装置。
［２５］前記システムクロックが、前記個人健康モジュール・クロックを較正するために使用される［２３］の無線装置。
携帯通信装置によって支援される個人健康装置。
【図１】
0005394386.tif 000002
【図２】
0005394386.tif 000003
【図３】
0005394386.tif 000004
【図４】
0005394386.tif 000005
【図５】
0005394386.tif 000006